(57)【要約】【課題】装飾用ハンカチーフを上着の胸ポケットに挿入したときに所望の高さに固定することができ、ポケットチーフを上着の種類によらず美しく見せることができる簡易ポケットチーフを提供すること。【解決手段】上着５０の胸ポケット５１に差し込む大きさに形成したカード状の差込片１１の上辺から装飾用ハンカチーフ１２を露出させたポケットチーフ本体１０と、上着５０の胸ポケット５１内に収容可能な大きさとし、ポケットチーフ本体１０を支持する板状部材からなる支持体２０とを備える。そして、差込片１１の少なくとも片面の下部と支持体２０の片面にそれぞれ付着面を設け、これらの付着面を対面させて当接することによりポケットチーフ本体１０を支持体２０により支持する。この付着面は、例えば、面ファスナーやシート状磁石により形成することができる。【選択図】図１
0003133525.tif 000002
【実用新案登録請求の範囲】
【請求項１】
上着の胸ポケットに差し込む大きさに形成したカード状の差込片の上辺から装飾用ハンカチーフを露出させたポケットチーフ本体と、上着の胸ポケット内に収容可能な大きさとし、前記ポケットチーフ本体を支持する板状部材からなる支持体とを備えた簡易ポケットチーフ。
【請求項２】
前記差込片の少なくとも片面の下部と前記支持体の片面にそれぞれ付着面を設け、これらの付着面を対面させて当接することにより前記ポケットチーフ本体を前記支持体により支持することを特徴とする請求項１に記載の簡易ポケットチーフ。
【請求項３】
前記付着面は、面ファスナーで形成されることを特徴とする請求項２に記載の簡易ポケットチーフ。
【請求項４】
前記差込片にシート状磁石を設けることによって前記差込片に前記付着面を設けると共に、前記支持体をシート状磁石により形成することによって前記支持体に前記付着面を設けたことを特徴とする請求項２に記載の簡易ポケットチーフ。
【請求項５】
前記差込片の片面の略全面と前記支持体の片面の略全面に前記付着面を設けたことを特徴とする請求項２〜４のいずれか一項に記載の簡易ポケットチーフ。
【請求項６】
前記支持体は、前記ポケットチーフ本体を複数段階の高さでそれぞれ支持する複数の支持部を有することを特徴とする請求項１に記載の簡易ポケットチーフ。
【請求項７】
前記支持体に山形状の切り込みを上下方向に多段に複数形成することによって、前記ポケットチーフ本体の下辺を支持する前記複数の支持部を形成したことを特徴とする請求項６に記載の簡易ポケットチーフ。
【請求項８】
前記山形状の切り込みの上部を、上段の切り込みの下端よりも上方に配置したことを特徴とする請求項７に記載の簡易ポケットチーフ。
【請求項９】
複数の前記切り込みの下方にそれぞれ各支持部の位置を識別するための表示を形成したことを特徴とする請求項６又は請求項７に記載の簡易ポケットチーフ。
【請求項１０】
前記カード状の差込片は、その片面に前記支持体を挿入するための挿入孔を有しており、
前記支持体は、前記挿入孔に挿入するための差込部を有しており、
前記差込部は、前記支持体の上部と下部とにそれぞれその長さを異にして形成されることを特徴とする請求項６に記載の簡易ポケットチーフ。
【請求項１１】
前記カード状の差込片は、その片面に前記支持体の上部を挿入するための左右細長の挿入孔を有しており、
前記支持体は、その上部に前記挿入孔に挿入するための差込部を有しており、
前記差込部の左右辺を鋸歯状に形成することによって、前記複数の支持部を形成したことを特徴とする請求項６に記載の簡易ポケットチーフ。
【考案の詳細な説明】
【技術分野】
【０００１】
本考案は、ポケットチーフに関し、さらに詳細には、簡単に上着の胸ポケットに差し込むことができる簡易ポケットチーフに関する。
【背景技術】
【０００２】
従来より、男性のおしゃれの一つとして、上着（ジャケット）の胸ポケットにハンカチーフを挿入し、その一部を胸ポケットからのぞかせる、いわゆるポケットチーフがある。
【０００３】
特に最近では、クールビズやウォームビズの様に省エネファッションが流行し始め、ネクタイの代わりにこのポケットチーフがファッション雑誌でも見かけられるようになってきている。
【０００４】
ところが、ポケットチーフといっても、さまざまな折り方があり、慣れていない場合には、ハンカチーフを上手に美しく折ることは難しい。
【０００５】
しかも、ハンカチーフを上手に美しく折って胸ポケットに挿入した場合でも、移動時の振動などによってハンカチーフが胸ポケットに落ち込んでしまうなどといった問題がある。
【０００６】
そこで、上着の胸ポケットに差し込むだけでポケットチーフを美しく形作ることができ、胸ポケットに落ち込んでしまうことのない技術が提案されている（例えば、特許文献１，２参照）。
【特許文献１】実用新案登録第３０５９３３７号公報
【特許文献２】実開平５−６９１０９号公報
【考案の開示】
【考案が解決しようとする課題】
【０００７】
しかしながら、上着の胸ポケットの深さは一定でないことから、上記特許文献１，２に記載の簡易的なポケットチーフでは、装飾用ハンカチーフが胸ポケットから露出する量を一定にすることができず、ポケットチーフを簡単に上着の胸ポケットに挿入することはできても、美しく見せることが十分にできない場合があった。
【０００８】
すなわち、上着の胸ポケットが浅すぎて装飾用ハンカチーフが胸ポケットから露出しすぎたり、逆に、上着の胸ポケットが深すぎて装飾用ハンカチーフの胸ポケットからの露出が足りなかったりしてしまい、折角のおしゃれがかえって台無しになる恐れがあった。
【課題を解決するための手段】
【０００９】
上記課題を解決するために請求項１に記載の考案は、上着の胸ポケットに差し込む大きさに形成したカード状の差込片の上辺から装飾用ハンカチーフを露出させたポケットチーフ本体と、上着の胸ポケット内に収容可能な大きさとし、前記ポケットチーフ本体を支持する板状部材からなる支持体とを備えたものである。
【００１０】
また、請求項２に記載の考案は、請求項１に記載の考案において、前記差込片の少なくとも片面の下部と前記支持体の片面にそれぞれ付着面を設け、これらの付着面を対面させて当接することにより前記ポケットチーフ本体を前記支持体により支持するものである。
【００１１】
また、請求項３に記載の考案は、請求項２に記載の考案において、前記付着面は、面ファスナーで形成されるものである。
【００１２】
また、請求項４に記載の考案は、請求項２に記載の考案において、前記差込片にシート状磁石を設けることによって前記差込片に前記付着面を設けると共に、前記支持体をシート状磁石により形成することによって前記支持体に前記付着面を設けたものである。
【００１３】
また、請求項５に記載の考案は、請求項２〜４のいずれか一項に記載の考案において、前記差込片の片面の略全面と前記支持体の片面の略全面に付着面を設けたものである。
【００１４】
また、請求項６に記載の考案は、請求項１に記載の考案において、前記支持体は、前記ポケットチーフ本体を複数段階の高さでそれぞれ支持する複数の支持部を有するものである。
【００１５】
また、請求項７に記載の考案は、請求項６に記載の考案において、前記支持体に山形状の切り込みを上下方向に多段に複数形成することによって、前記ポケットチーフ本体の下辺を支持する前記複数の支持部を形成したものである。
【００１６】
また、請求項８に記載の考案は、請求項７に記載の考案において、前記山形状の切り込みの上部を、上段の切り込みの下端よりも上方に配置したものである。
【００１７】
また、請求項９に記載の考案は、請求項６又は請求項７に記載の考案において、複数の前記切り込みの下方にそれぞれ各支持部の位置を識別するための表示を形成したものである。
【００１８】
また、請求項１０に記載の考案は、請求項６に記載の考案において、前記カード状の差込片は、その片面に前記支持体を挿入するための挿入孔を有しており、前記支持体は、前記挿入孔に挿入するための差込部を有しており、前記差込部は、前記支持体の上部と下部とにそれぞれその長さを異にして形成されるものである。
【００１９】
また、請求項１１に記載の考案は、請求項６に記載の考案において、前記カード状の差込片は、その片面に前記支持体の上部を挿入するための左右細長の挿入孔を有しており、前記支持体は、その上部に前記挿入孔に挿入するための差込部を有しており、前記差込部の左右辺を鋸歯状に形成することによって、前記複数の支持部を形成したものである。
【考案の効果】
【００２０】
本考案によれば、ポケットチーフ本体を上着の胸ポケットに挿入したときに所望の高さに固定することができ、ポケットチーフを上着の種類によらず美しく見せることができる。また、大きさの異なるポケットチーフ本体を複数用意することなく、装飾用ハンカチーフの上着の胸ポケットからの露出を好みに合わせて調整することができることから、経済性にも富む。
【考案を実施するための最良の形態】
【００２１】
（第１実施形態）
以下、本考案の第１実施形態について図面を用いて詳細に説明する。図１は、本考案の第１実施形態に係る簡易ポケットチーフの概要を説明するため図である。
【００２２】
図１に示すように、本実施形態における簡易ポケットチーフ１は、上着５０の胸ポケット５１に差し込む大きさに形成したカード状の差込片１１の上辺から装飾用ハンカチーフ１２を露出させたポケットチーフ本体１０と、上着５０の胸ポケット５１内に収容可能な大きさとし、ポケットチーフ本体１０を支持する支持体２０とを備えている。
【００２３】
しかも、差込片１１の少なくとも片面の下部と支持体２０の片面にそれぞれ付着面２５，２６を設け、これらの付着面２５，２６同士を対面させて当接することによりポケットチーフ本体１０を支持体２０により支持するようにしている。
【００２４】
これにより、ポケットチーフ本体１０を上着５０の胸ポケット５１に挿入したときに所望の高さに固定することができ、ポケットチーフを上着の種類によらず美しく見せることができる。また、同じ上着５０の胸ポケット５１に差し込む場合においても、大きさの異なるポケットチーフ本体１０を複数用意することなく、装飾用ハンカチーフ１２の胸ポケット５１からの露出を好みに合わせて調整することができることから、経済性にも富む。
【００２５】
以下、この簡易ポケットチーフ１の具体的構成について説明する。図２（ａ）は、本実施形態に係るポケットチーフ本体１０の正面図、図２（ｂ）は本実施形態に係るポケットチーフ本体１０の側面図、図３は本実施形態に係るポケットチーフ本体１０の構成を説明するための図、図４（ａ）は本実施形態に係る支持体２０の正面図、図４（ｂ）は本実施形態に係る支持体２０の側面図である。
【００２６】
図２（ａ），（ｂ）に示すように、ポケットチーフ本体１０は、上着５０の胸ポケット５１に差し込む大きさに形成した方形状の板状部材である差込片１１と、この差込片１１の上辺に係止された装飾用ハンカチーフ１２とを備えている。
【００２７】
この差込片１１を形成するために、まず図３（ａ）に示すように、方形の袋状に形成された布部材１３の上部開口からその内部へ装飾用ハンカチーフ１２の下部を挿入し、この装飾用ハンカチーフ１２の下部と布部材１３の内側上部とを接着材等によって接合した部材１６を用意する。
【００２８】
次に、図３（ｂ）に示すように、その表面となる表面部１５ａとその裏面となる裏面部１５ｂと内部に折り込まれる折込部１５ｃとからなる横長の長方形状の革材１５を用意し、この革材の裏面部１５ｂ（折込線１４ａと折込線１４ｂとの間）の上部に部材１６の布部材１３を載せる。そして、折込線１４ｂを境界として折込部１５ｃを部材１６の布部材１３を挟み込むように折込み、さらに、折込線１４ａを境界として表面部１５ａを部材１６の布部材１３を挟み込むように折込んで差込片１１を形成する。
【００２９】
その後、図３（ｃ）に示すように、差込片１１の上辺から装飾用ハンカチーフ１２が露出するように、差込片１１の左右辺及び下辺の縁近傍を縫合（差込片１１の表面部１５ａ，裏面部１５ｂ及び折込部１５ｃを縫合）する。このように縁近傍を縫合することによって表面部１５ａに縫い目１９（裏面部１５ｂも同様）が形成される。
【００３０】
次に、図３（ｄ）に示すように、差込片１１の上部開口から方形状のシート状磁石１８ａ，１８ｂを挿入する。具体的には、シート状磁石１８ａを革材１５の表面部１５ａと布部材１３との間に挿入し、シート状磁石１８ｂを革材１５の裏面部１５ｂとの間に挿入する。差込片１１内にシート状磁石１８ａ，１８ｂを収納することによって差込片１１の表面部１５ａと裏面部１５ｂとを付着面２５としている。なお、このようにシート状磁石を２つ差込片１１内に挿入するのは、シート状磁石を１つとすると布部材１３によってその磁力が弱まり、付着面の付着力が弱まるためである。
【００３１】
その後、図３（ｅ）に示すように、差込片１１の上辺の縁近傍を縫合することによって、この差込片１１内に収納したシート状磁石１８ａ，１８ｂがこの差込片１１から飛び出さないようにしている。
【００３２】
ここで、差込片１１を構成する革材１５として、合成革や人工革を用いることによって、上述のように折り込み及び縫合により形状を略方形の板状（カード状）にしつつも、柔軟性を持たせて、胸ポケット５１への挿入を容易にし、かつ胸ポケット５１への挿入時に違和感なく使用することができるようにしている。また、革材を使用することによって、肌触りを向上させて高級感を持たせる一方、耐久性も向上させるようにしている。
【００３３】
また、装飾用ハンカチーフ１２には、図柄を施した布やシルクなどを用いており、これを折り畳んで差込片１１の上辺に露出する部分が袋状となるように布部材１３に係止するが、必ずしもこれに限られるものではなく、様々な折り畳み方や係止方法を採用することができる。
【００３４】
一方、支持体２０は、図４（ａ），（ｂ）に示すように、方形状のシート状磁石からなり、その両面を付着面２６としており、これによりポケットチーフ本体１０の付着面２５である表面部１５ａや裏面部１５ｂと当接してポケットチーフ本体１０を支持するようにしている。
【００３５】
このように簡易ポケットチーフ１は、差込片１１の表面部１５ａや裏面部１５ｂに磁力による付着面を設けると共に、支持体２０をシート状磁石としてその表面又は裏面全体を磁力による付着面としており、これにより、ポケットチーフ本体１０を上着５０の胸ポケット５１に挿入したときに所望の高さに固定することができる。
【００３６】
例えば、ポケットチーフ本体１０の高さを低くしたいとき、図５（ａ），（ｂ）に示すように、支持体２０の付着面に対する差込片１１の表面部１５ａ又は裏面部１５ｂの当接（吸着）割合を多くする。すなわち、差込片１１の表面部１５ａ又は裏面部１５ｂが支持体２０に重なる度合いを大きくする。一方、ポケットチーフ本体１０の高さを高くしたいとき、図６（ａ），（ｂ）に示すように、支持体２０の付着面に対する差込片１１の表面部１５ａ又は裏面部１５ｂの当接（吸着）割合を少なくする。すなわち、差込片１１の表面部１５ａ又は裏面部１５ｂが支持体２０に重なる度合いを小さくする。
【００３７】
このように本実施形態における簡易ポケットチーフ１によれば、ポケットチーフ本体１０を所望の高さに調整することができ、ポケットチーフを上着の種類によらず美しく見せることができる。
【００３８】
なお、上述においては、シート状磁石を２つ設けることとしたが、シート状磁石を１つとすることもできる。
【００３９】
例えば、図７（ａ）に示すように、革材１５において裏面部１５ｂの上部に装飾用ハンカチーフ１２の下部を載せ、この装飾用ハンカチーフ１２の下方に、シート状磁石１８ａを載せる。そして、折込部１５ｃ及び表面部１５ａを装飾用ハンカチーフ１２及びシート状磁石１８ａを挟み込むように折込む。その後、さらに差込片１１の各辺の縁近傍を縫合することによって、この差込片１１の上辺に装飾用ハンカチーフ１２を縫着し、係止して、図７（ｂ）に示すようにポケットチーフ本体１０を形成している。
【００４０】
このように、シート状磁石を１つとすることで、ポケットチーフ本体１０の軽量化を図ルことができ、しかも、材料費を低減させることができる。
【００４１】
また、上述の実施形態においては、支持体２０をシート状磁石のみで構成することとしたが、シート状磁石をカード状のプラスチックと貼り合わせて支持体２０を構成するようにしてもよい。
【００４２】
また、上述においては、差込片１１の両面の略全面と支持体２０の両面の略全面とにそれぞれ付着面を設けて、ポケットチーフ本体１０や支持体２０の方向に関係なく、ポケットチーフ本体１０を支持体２０によって支持することとしたが、差込片１１の少なくとも片面の下部と支持体２０の片面にそれぞれ付着面を設けるようにすればよい。
【００４３】
また、ポケットチーフ本体１０の差込片１１内部にシート状磁石を収納することとしたが、差込片１１の表面にシート状磁石を貼り付けるようにしてもよい。
【００４４】
（第２施形態）
上記第１実施形態においては、シート状磁石を用いて磁力によってポケットチーフ本体と支持体とを付着させるようにしたが、本第２実施形態においては、面ファスナーを用いてポケットチーフ本体と支持体とを付着させるものである。
【００４５】
以下、第２実施形態における簡易ポケットチーフの構成を図面を参照して具体的に説明する。図８は本第２実施形態における簡易ポケットチーフ２の構成を説明するための図である。なお、第１実施形態と同様の構成については、同一符号を付している。
【００４６】
第２実施形態における簡易ポケットチーフ２は、図８（ａ）に示すように、ポケットチーフ本体１１０と支持体１２０とから構成されている。
【００４７】
ポケットチーフ本体１１０は、第１実施形態と同様に、上着５０の胸ポケット５１に差し込む大きさに形成したカード状の差込片１１１の上辺から装飾用ハンカチーフ１２を露出させて構成される。このポケットチーフ本体１１０は、図３又は図７に示すポケットチーフ本体１０においてシート状磁石１８ａ，１８ｂを内部に収納する代わりに面ファスナー１１８を差込片１１１の片面下部に貼り付けており、この面ファスナー１１８によって付着面を構成している。
【００４８】
また、支持体１２０は、縦長の台形状に形成したカード状部材であり、その片面上方から中央部にかけて面ファスナー１２８が形成される。なお、支持体１２０は、台形状とせずに、第１実施形態の支持体２０のように方形状に形成してもよい。
【００４９】
このように簡易ポケットチーフ２は、差込片１１１の片面表面に付着面である面ファスナー１１８を設けると共に、支持体１２０も同様にその表面に付着面である面ファスナー１２８を設けており、面ファスナー１１８と面ファスナー１２８とを当接させて付着させることにより、ポケットチーフ本体１１０を上着５０の胸ポケット５１に挿入したときに所望の高さに固定することができる。
【００５０】
なお、支持体１２０の片面全面に面ファスナーを設けるようにしてもよく、両面にそれぞれ面ファスナーを設けるようにしてもよい。また、同様に、ポケットチーフ本体１１０の片面全面に面ファスナーを設けるようにしてもよく、両面にそれぞれ面ファスナーを設けるようにしてもよい。また、面ファスナー１１８，１２８はいずれか一方がループ状の面ファスナーとなり、他方がフック状の面ファスナーとなる。
【００５１】
（第３実施形態）
以下、本考案の第３実施形態について図面を用いて詳細に説明する。
【００５２】
本実施形態における簡易ポケットチーフの支持体は、シート状磁石や面ファスナーに代えて、ポケットチーフ本体の下辺を複数段階の高さでそれぞれ支持する複数の支持部を設けている。
【００５３】
このように構成される簡易ポケットチーフについて、まずポケットチーフ本体の具体的構成について図面を参照して説明する。図９（ａ）は、本実施形態に係るポケットチーフ本体の正面図、図９（ｂ）は本実施形態に係るポケットチーフ本体の側面図である。
【００５４】
図９（ａ），（ｂ）に示すように、本実施形態におけるポケットチーフ本体２１０は、上着５０の胸ポケット５１に差し込む大きさに形成した方形状の板状部材である差込片２１１と、この差込片２１１の上辺に係止された装飾用ハンカチーフ１２とを備えている。なお、このポケットチーフ本体２１０は、図３又は図７に示すポケットチーフ本体１０においてシート状磁石１８ａ，１８ｂを内部に収納せずに形成したものである。
【００５５】
次に、支持体２２０の具体的構成について説明する。図１０（ａ）は本実施形態に係る支持体２２０の正面図、図１０（ｂ）は本実施形態に係る支持体２２０の側面図である。
【００５６】
図１０（ａ）、（ｂ）に示すように、支持体２２０は、方形状の薄板状部材からなり、ポケットチーフ本体２１０を複数段階の高さでそれぞれ支持する複数の支持部２１ａ〜２１ｃを有している。
【００５７】
この支持部２１ａ〜２１ｃは、支持体２２０の表面から裏面にかけて貫通する山形状の切り込み３０ａ〜３０ｃを上下方向に多段に設けることによって形成される。
【００５８】
すなわち、図１０（ａ）に示すように、支持体２２０において、左右方向からそれぞれ長さａだけ離れた位置を端部３１ａ〜３１ｃ，３２ａ〜３２ｃとして、中心に向かうように上方に傾斜させて切り込みをいれ、左右方向からそれぞれ長さｂだけ離れた位置で左右方向からそれぞれ中央に水平に向かうように切り込みをいれて、山形状の切り込み３０ａ〜３０ｃを形成する。
【００５９】
このように支持部２１ａ〜２１ｃが形成されていることから、切り込み３０ａ〜３０ｃによって形成された開放片３３ａ〜３３ｃのいずれかとそれ以外の部分でポケットチーフ本体２１０を狭持することができる。例えば、ポケットチーフ本体２１０の下辺を端部３１ａ，３２ａの位置近傍になるようにしたいとき、図１１（ａ），（ｂ）に示すように、この開放片３３ａの端部３１ａ，３２ａでポケットチーフ本体２１０の下部が支持され、この開放片３３ａとそれ以外の部分とでポケットチーフ本体２１０の前後方向が挟持される。また、ポケットチーフ本体２１０の下辺を端部３１ｂ，３２ｂの位置近傍になるようにしたいとき、図１２（ａ），（ｂ）に示すように、この開放片３３ｂの端部３１ｂ，３２ｂでポケットチーフ本体１０の下部が支持され、この開放片３３ｂとそれ以外の部分とでポケットチーフ本体２１０の前後方向が挟持される。なお、図１０（ａ）に示す「ａ」の長さは、長すぎると開放片３３ａ〜３３ｃによる挟持力が小さくなり、短すぎる端部３１ａ〜３１ｃ，３２ａ〜３２ｃに亀裂が生じやすくなることから、差込片２１１の左右方向の長さの１／８〜１／５の範囲であることが好ましく、さらに好ましくは１／７〜１／６である。また、開放片３３ａ〜３３ｃの上下方向の長さは、差込片２１１の左右方向の長さの２／５〜４／５までの長さであることが好ましい。
【００６０】
ところで、切り込み３０ａ，３０ｂは、図１０（ａ）に示すように、山形状の切り込みの上部３４ａ，３４ｂを、それぞれ上段の切り込み３０ｂ，３０ｃの下端３１ｂ，３２ｂ，３１ｃ，３２ｃよりも上方に配置している。
【００６１】
このように構成することによって、端部３１ａ〜３１ｃ，３２ａ〜３２ｃの上下方向の間隔を小さくすることができ、ポケットチーフ本体２１０を上着５０の胸ポケット５１に挿入したときに所望の高さに固定することができる。
【００６２】
しかも、ポケットチーフ本体２１０を狭持する面積を大きくとることができるから、ポケットチーフ本体２１０を安定して保持することができる。例えば、図１２（ａ）に示すように、開放片３３ｂのみならず、開放片３３ａの一部もポケットチーフ本体２１０を挟持することになり、支持部２１ａ〜２１ｃのうちいずれの支持部を用いた場合であっても挟持力を略一定にすることができる。
【００６３】
また、この支持体２２０においては、複数の切り込み３０ａ〜３０ｃの上部３４ａ〜３４ｃの下方にそれぞれ各支持部２１ａ〜２１ｃの位置を識別するための表示２２ａ〜２２ｃを形成しており、これにより利用者は容易に上着５０の胸ポケット５１から装飾用ハンカチーフ１２を露出させるための支持部２１ａ〜２１ｂの位置を把握及び学習することができる。従って、この簡易ポケットチーフ３を数回使用するだけで、ポケットチーフ本体２１０の高さ調整が容易になる。また、図１０（ａ）に示すように、ポケットチーフ本体２１０の支持体２２０への差込方向の表示２４を支持体２２０の上部に形成しており、これにより簡易ポケットチーフ３の使用方法を容易に把握することができる。
【００６４】
また、この支持体２２０は、薄い板状のプラスチックを加工することによって製造してもよく、また、方形状の紙にプラスチックでラミネート加工したものに複数の切り込み３０ａ〜３０ｃを入れるようにしてもよい。このようにプラスチックを用いることで支持体２２０を安価に作成しつつも、紙などで形成するのに比べ、その耐久性を向上させることができる。
【００６５】
なお、上述の実施形態においては、支持体２２０に形成する複数の切り込み３０ａ〜３０ｃを略コの字状としたが、山形状の切込みであればこれに限られるものではない。例えば、図１３に示すような支持体２２０’としてもよい。すなわち、支持体に円弧状の切り込み３０ａ’〜３０ｃ ’を上下方向に形成するようにしてもよい。このとき、支持体２２０’の上部も円弧状に形成するようにすることで、コンパクト化を図ることができる。
【００６６】
また、上述の実施形態においては、支持体２２０に形成する切り込みを３段として説明したが、これに限られるものではなく、４段でも５段でも、或いは図１４に示す支持体２２０”（切り込み３０ａ”，３０ｂ”）のように２段でもよい。
【００６７】
（第４実施形態）
上述の第３実施形態では、支持体２２０に切り込み３０ａ〜３０ｃを入れることによって、複数の支持部２１ａ〜２１ｃを上下方向に多段に設け、ポケットチーフ本体２１０の下辺を複数の支持部２１ａ〜２１ｃのいずれかで支持することとしたが、本第４実施形態の支持体では、ポケットチーフ本体におけるカード状の差込片の片面の下部に支持体を挿入するための挿入孔を設け、支持体はこの挿入孔に挿入するための差込部を支持体の上部と下部とにそれぞれ形成している。
【００６８】
以下、第４実施形態における簡易ポケットチーフの構成を図面を参照して具体的に説明する。図１５は本第４実施形態における簡易ポケットチーフの構成を説明するための図である。なお、第３実施形態と同様の構成については、同一符号を付している。
【００６９】
図１５（ａ）に示すように、第４実施形態における簡易ポケットチーフ４のポケットチーフ本体３１０は、第３実施形態のポケットチーフ本体２１０の構成と同様にカード状に形成され、さらに、その差込片３１１の表面部１５ａの下部に左右方向に細長く開口する挿入孔１１６を設けている。また、この挿入孔１１６の左右端それぞれには、円形状に開口する開孔部１１４，１１５を設けており、これによって、挿入孔１１６の左右が外部の力によって左右に裂けることを防止するようにしている。なお、この挿入孔１１６は挿入孔であれば開口でなく切り込みであってもよい。
【００７０】
また、第４実施形態における簡易ポケットチーフ４の支持体３２０は、図１５（ａ）に示すように、十字状に形成され、ポケットチーフ本体３１０の挿入孔１１６に挿入するための上部差込部１３５ａ及び下部差込部１３５ｂと、支持体本体部１３５ｃとを有している。上部差込部１３５ａは上下方向に長く、下部差込部１３５ｂは上下方向に短く略方形状に形成される。すなわち、支持体３２０の上部と下部とにそれぞれその長さを異にした差込部１３５ａ，１３５ｂが形成される。また、支持体本体部１３５ｃは、差込部１３５ａ，１３５ｂの左右方向の幅よりも長い幅を有しており、略方形状に形成される。
【００７１】
この簡易ポケットチーフ４は、上着５０の胸ポケット５１からの装飾用ハンカチーフ１２の位置を２段階で調整することができるようにしている。
【００７２】
すなわち、装飾用ハンカチーフ１２の高さ位置を高くしたいときには、図１５（ｂ）に示すように、下部差込部１３５ｂを挿入孔１１６に挿入し、装飾用ハンカチーフ１２の高さ位置を低くしたいときには、図１５（ｃ）に示すように、上部差込部１３５ａを挿入孔１１６に挿入する。なお、支持体本体部１３５ｃは挿入孔１１６よりも左右方向の長さを大きくしていることから、差込部１３５ａ,１３５ｂを挿入孔１１６に挿入したとき、この支持体本体部１３５ｃによってポケットチーフ本体３１０が支持されることになる。
【００７３】
このように第４実施形態における簡易ポケットチーフ４では、支持体３２０の上部と下部とにそれぞれ長さの異なる差込部１３５ａ，１３５ｂを設け、この差込部１３５ａ，１３５ｂをポケットチーフ本体３１０の挿入孔１１６に挿入するだけで、上着５０の胸ポケット５１からの装飾用ハンカチーフ１２の位置を容易に調整することができる。しかも、差込部１３５ａ，１３５ｂ及び支持体本体部１３５ｃの各角は、円弧状に形成されて丸みを帯び、角がないため、挿入孔１１６への挿入を容易に行うことができる。
【００７４】
（第５実施形態）
上述の第４実施形態の支持体３２０では、ポケットチーフ本体３１０における差込片の左右細長の挿入孔に挿入するための差込部を支持体の上部と下部とにそれぞれ形成して複数の支持部を形成したが、本第５実施形態における支持体４２０では、上部のみを差込部とし、この差込部の左右辺を鋸歯状に形成することによって、複数の支持部を形成している。
【００７５】
以下、第５実施形態における簡易ポケットチーフの構成を図面を参照して具体的に説明する。図１６は本第５実施形態における簡易ポケットチーフ５の構成を説明するための図である。なお、第４実施形態と同様の構成については、同一符号を付している。
【００７６】
図１６（ａ）に示すように、第５実施形態におけるポケットチーフ本体４１０の差込片３１１は、第２実施形態の簡易ポケットチーフ４と同様に、カード状に形成され、その差込片３１１の表面部１５ａの下部に左右方向に細長く開口する挿入孔１１６と、開孔部１１４，１１５を設けている。
【００７７】
そして、簡易ポケットチーフ５における支持体４２０は、図１６（ａ）に示すように、ポケットチーフ本体４１０の差込片３１１の挿入孔１１６に挿入するための差込部２３５ａと、支持体本体部２３５ｃとを有している。差込部２３５ａは上下方向に長く略方形状に形成され、その左右辺が鋸歯状に形成される。また、支持体本体部２３５ｃは、差込部２３５ａの左右方向の幅よりも長い幅を有しており、略方形状に形成される。
【００７８】
この簡易ポケットチーフ５は、上着５０の胸ポケット５１からの装飾用ハンカチーフ１２の位置を鋸歯の数分だけ多段階で調整することができるようにしている。
【００７９】
すなわち、装飾用ハンカチーフ１２の高さ位置を高くしたいときには、図１６（ｂ）に示すように、差込部２３５ａを挿入孔１１６に挿入し、差込部２３５ａの上部側の鋸歯によってポケットチーフ本体４１０を支持し、装飾用ハンカチーフ１２の高さ位置を低くしたいときには、図１６（ｃ）に示すように、差込部２３５ａの下部側の鋸歯によってポケットチーフ本体４１０を支持する。なお、差込部２３５ａによるポケットチーフ本体４１０の支持は、差込部２３５ａの左右の鋸歯が開孔部１１４，１１５に掛止されることによって行われる。すなわち、差込部２３５ａにおける左右の鋸歯を含む左右幅を、両開孔部１１４，１１５間の左右幅と略同等の幅とすることによって、差込部２３５ａの左右の鋸歯が開孔部１１４，１１５に掛止されるようにしている。
【００８０】
このように第５実施形態における簡易ポケットチーフ５では、支持体４２０に左右辺が鋸歯状の差込部２３５ａを設け、この差込部２３５ａをポケットチーフ本体４１０の差込片３１１の挿入孔１１６に挿入するだけで、上着５０の胸ポケット５１からの装飾用ハンカチーフ１２の位置を容易に調整することができる。
【００８１】
以上、本考案の実施の形態のいくつかを図面に基づいて詳細に説明したが、これらは例示であり、考案の開示の欄に記載の態様を始めとして、当業者の知識に基づいて種々の変形、改良を施した他の形態で本考案を実施することが可能である。例えば、各切り込み３０ａ〜３０ｃの端部３１ａ〜３１ｃ，３２ａ〜３２ｃを、図１５や図１６に示す開孔部１１４，１１５のように、円弧状の貫通孔としてもよい。これによって、の端部３１ａ〜３１ｃ，３２ａ〜３２ｃが外部の力によって左右に裂けることを防止することができる。
【図面の簡単な説明】
【００８２】
【図１】本考案の第１実施形態に係る簡易ポケットチーフの概要を説明するため図である。
【図２】第１実施形態に係るポケットチーフ本体の具体的な構成図である。
【図３】第１実施形態に係るポケットチーフ本体の構成を説明するための図である。
【図４】第１実施形態に係る支持体の具体的な構成図である。
【図５】第１実施形態に係るポケットチーフ本体を支持体で保持したときの状態を示す図である。
【図６】第１実施形態に係るポケットチーフ本体を支持体で保持したときの状態を示す図である。
【図７】第１実施形態に係る他のポケットチーフ本体の具体的な構成図である。
【図８】本考案の第２実施形態に係る簡易ポケットチーフの説明図である。
【図９】本考案の第３実施形態に係る簡易ポケットチーフの説明図である。
【図１０】第３実施形態に係る支持体の具体的な構成図である。
【図１１】第３実施形態に係るポケットチーフ本体を支持体で保持したときの状態を示す図である。
【図１２】第３実施形態に係るポケットチーフ本体を支持体で保持したときの状態を示す図である。
【図１３】第３実施形態に係る他の支持体の具体的な構成図である。
【図１４】第３実施形態に係る別の支持体の具体的な構成図である。
【図１５】本考案の第４実施形態に係る簡易ポケットチーフの説明図である。
【図１６】本考案の第５実施形態に係る簡易ポケットチーフの説明図である。
【符号の説明】
【００８３】
１〜５  簡易ポケットチーフ
１０，１１０，２１０，３１０，４１０  ポケットチーフ本体
１１，１１１,２１１，３１１  差込片
１２  装飾用ハンカチーフ
２０，１２０，２２０，３２０，４２０  支持体
２１ａ〜２１ｃ  支持部
２５，２６  付着面
３０ａ〜３０ｃ  切り込み
３３ａ〜３３ｃ  開放片
５０  上着
５１  胸ポケット
１８１，２８１  面ファスナー
【図１】
0003133525.tif 000003
【図２】
0003133525.tif 000004
【図３】
0003133525.tif 000005
【図４】
0003133525.tif 000006
【図５】
0003133525.tif 000007
【図６】
0003133525.tif 000008
【図７】
0003133525.tif 000009
【図８】
0003133525.tif 000010
【図９】
0003133525.tif 000011
【図１０】
0003133525.tif 000012
【図１１】
0003133525.tif 000013
【図１２】
0003133525.tif 000014
【図１３】
0003133525.tif 000015
【図１４】
0003133525.tif 000016
【図１５】
0003133525.tif 000017
【図１６】
0003133525.tif 000018